(57)【特許請求の範囲】
【請求項１】
遊技機に設けられる電気的作動装置の制御を行うためにＲＯＭ等の電子部品を実装した制御回路基板を収容する遊技機の基板ボックスにおいて、
前記基板ボックスを構成するベース部材に対し上蓋部材を開スライド方向又は閉スライド方向にスライドすることにより基板ボックスを開閉可能なスライド機構を設け、
スライド機構は、前記上蓋部材を閉スライド方向へスライドさせた場合に、前記上蓋部材が前記ベース部材に対して閉じた状態で、前記上蓋部材と前記ベース部材とが突き当たることにより前記上蓋部材の閉位置を規制する閉位置規制手段と、
前記閉位置規制手段により前記上蓋部材が閉位置に規制された状態において、前記基板ボックスの前記スライド方向に沿う所定の部位に、前記上蓋部材から突出させた上方連結部の先端に形成された上方結合部とベース部材から突出させた下方連結部の先端に形成された下方結合部とを重合する重合結合部を列状にそれぞれ所定間隔を開けて複数形成して、このうちのいずれか一つの重合結合部に対し締結部材により固着せしめて切断あるいは切除しなければ開けられないように前記ベース部材に対して前記上蓋部材を開放不能に閉じる不正開放防止結合手段を設けると共に、
前記締結部材により固着された重合結合部の上蓋部材側の連結部もしくはベース部材側の連結部の一方のみを切断した状態で基板ボックスを不正に開封する不正開封行為に対し、上蓋部材を開スライド方向へスライドさせた際に当該重合結合部に当接して以降の上蓋部材のスライドを阻止するスライド阻止手段を設け、
前記上方結合部の配列方向の両側から、前記上方結合部の周囲側方を囲う上方防護部が上蓋部材に形成され、
前記下方結合部の配列方向の両側から、前記下方結合部の周囲側方を囲う下方防護部がベース部材に形成され、
前記上方防護部又は前記下方防護部がスライド阻止手段を兼ねることを特徴とする遊技機の基板ボックス。
【発明の詳細な説明】
【技術分野】
【０００１】
この発明は、遊技機の制御回路基板を収容する基板ボックスに関する。
【背景技術】
【０００２】
従来の遊技機、例えばパチンコ遊技機において、遊技機の裏面側には、遊技機の遊技制御を行う役物制御装置や球排出装置を制御する球排出制御装置等の制御回路をボックス内に収容した基板ボックスが設けられている。
【０００３】
基板ボックスは、ＩＣ（集積回路）や抵抗等の各種電子部品が多数実装された制御回路基板を樹脂性や金属性のボックスに収容して、ショート等を防いだり、ほこり等のゴミが侵入しないように保護しており、遊技機の本体枠（前面枠）や基枠体としての裏メカベース盤あるいは遊技盤等の裏面側に取付け可能となっている。
【０００４】
例えば、役物制御装置においては、制御回路内にＣＰＵ、ＲＯＭ（メモリ）、ＲＡＭ（メモリ）等が設けられており、ＲＯＭに記憶されたプログラムにしたがい遊技制御が行われ、大当たり等もここで制御されている。
【０００５】
基板ボックスは、一般的に上蓋部材とベース部材とを重ね合わせたボックス体になっており、その他の各種装置と電気的に接続するためのコネクタ部がボックスから露出して設けられており、各種配線をコネクタ部に差し込むことにより、それぞれに関わる制御が可能となっている。
【０００６】
基板ボックスに対する不正行為は、上蓋部材をはずして、開放された制御回路基板に備えられたＲＯＭ等の電子部品を交換、あるいはデータの書き換え（例えば、大当たり確率を通常のものより高く設定する等）を行うことにより、通常の遊技制御と比較して、例えば大当たりを頻繁に出現させる等の不正な遊技制御を行うようにしていた。
【０００７】
このため、基板ボックスにおいては、一旦開放されると、開放されたことが分かるように、上蓋部材とベース部材との合わせ目に封印シールを貼ったり、あるいは基板ボックスの表面をクリアな樹脂により形成して、収容されている制御回路基板の状態を外部から見えるようにしていた。
【発明の開示】
【発明が解決しようとする課題】
【０００８】
しかしながら、従来の基板ボックスは、上蓋部材とベース部材を構造的にビス止めのみで組付けていたため、上蓋部材をはずしてボックス体を開放することは容易であり、また上蓋部材とベース部材との合わせ目に封印シールを貼っていたとしても、これは安易な不正行為者には効果があるが、非常に専門的な不正行為者、例えば偽の封印シールや特殊な剥離材等をもっている者に対しては効果がなくなっているのが実状である。
【０００９】
これらの不正行為を防止するためには、基板ボックスを開放不可能あるいは開放が非常に困難な構造にすることが考えられるが、遊技店においては、一旦設置した遊技機に対して抜打ち的に公的機関（警察等）により不正基板かどうかの検査が行われる。検査内容としては、ＲＯＭに記憶されているプログラムデータをデータローダにより読み込んで正規なＲＯＭと比較するといった検査が行われ、この場合に前述のごとく基板ボックスの開放が不可能であると、検査ができなくなってしまう。そのため、基板ボックスを破壊して開放することも考えられるが、基板ボックスを破壊してしまうと、検査後に再使用することができなくなってしまう。
【００１０】
そこで、本発明の目的は、基板ボックス自体を単にベース部材に重ねた上蓋部材を開いて開放する構造ではなく、スライドにより開放させる機構を用いることで、不正開放を防止可能な遊技機の基板ボックスを提供することにある。
【課題を解決するための手段】
【００１１】
第１の発明は、遊技機に設けられる電気的作動装置の制御を行うためにＲＯＭ等の電子部品を実装した制御回路基板を収容する遊技機の基板ボックスにおいて、前記基板ボックスを構成するベース部材に対し上蓋部材を開スライド方向又は閉スライド方向にスライドすることにより基板ボックスを開閉可能なスライド機構を設け、スライド機構は、前記上蓋部材を閉スライド方向へスライドさせた場合に、前記上蓋部材が前記ベース部材に対して閉じた状態で、前記上蓋部材と前記ベース部材とが突き当たることにより前記上蓋部材の閉位置を規制する閉位置規制手段と、前記閉位置規制手段により前記上蓋部材が閉位置に規制された状態において、前記基板ボックスの前記スライド方向に沿う所定の部位に、前記上蓋部材から突出させた上方連結部の先端に形成された上方結合部とベース部材から突出させた下方連結部の先端に形成された下方結合部とを重合する重合結合部を列状にそれぞれ所定間隔を開けて複数形成して、このうちのいずれか一つの重合結合部に対し締結部材により固着せしめて切断あるいは切除しなければ開けられないように前記ベース部材に対して前記上蓋部材を開放不能に閉じる不正開放防止結合手段を設けると共に、前記締結部材により固着された重合結合部の上蓋部材側の連結部もしくはベース部材側の連結部の一方のみを切断した状態で基板ボックスを不正に開封する不正開封行為に対し、上蓋部材を開スライド方向へスライドさせた際に当該重合結合部に当接して以降の上蓋部材のスライドを阻止するスライド阻止手段を設け、前記上方結合部の配列方向の両側から、前記上方結合部の周囲側方を囲う上方防護部が上蓋部材に形成され、前記下方結合部の配列方向の両側から、前記下方結合部の周囲側方を囲う下方防護部がベース部材に形成され、前記上方防護部又は前記下方防護部がスライド阻止手段を兼ねることを特徴とする遊技機の基板ボックスである。
【発明の効果】
【００１２】
以上のように第１の発明によれば、制御回路基板を収容する基板ボックスが上蓋部材のスライドによって開閉可能に形成されると共に、上蓋部材の閉位置を規制する閉位置規制手段が備えられ、閉位置規制手段に規制された状態において、基板ボックスのスライド方向に沿って所定の部位に、上蓋部材とベース部材とから各々突出させた連結部を介して重合する重合結合部をそれぞれ所定の間隔を空けて複数形成して、このうちの一つを締結部材により固着することで、基板ボックスが開放不能に封印されると共に、締結部材により固着された重合結合部の上蓋部材側の連結部もしくはベース部材側の連結部の一方のみを切断した状態で基板ボックスを不正に開封する不正開封行為に対し、上蓋部材を所定方向にスライドさせた際に当該重合結合部にスライド阻止手段が当接して以降の上蓋部材のスライドが阻止される。また、上方結合部の配列方向の両側から、上方結合部の周囲側方を囲う上方防護部が上蓋部材に形成され、下方結合部の配列方向の両側から、下方結合部の周囲側方を囲う下方防護部がベース部材に形成され、上方防護部又は下方防護部がスライド阻止手段を兼ねるため、基板ボックスの組立て時、組付け時、検査時等に重合結合部を保護して、重合結合部の破損を防止でき、また各作業時に重合結合部に配線が絡むことを防止できると共に、重合結合部の上蓋部材側の連結部もしくはベース部材側の連結部の一方のみを切断しての基板ボックスの不正な開放を防止できる。
【発明を実施するための最良の形態】
【００１３】
以下、本発明の実施の形態を図面に基づいて説明する。
【００１４】
図１は遊技機の一例としてパチンコ遊技機を示しており、１はフレーム内に遊技盤を取付ける前面枠（本体枠とも呼ぶ）、２は前面枠１を支持する外枠である。前面枠１は、外枠２にヒンジ３ａ、３ｂにより開閉可能に組付けられ、その自由端側に施錠フック４ａ、４ｂが設けられる。外枠２は、遊技店の島設備に固定される。
【００１５】
遊技盤は、図示しないが、遊技領域に画像表示装置、変動入賞装置、入賞球センサ、ＬＥＤ、ランプ等の各種電気機器が配設される。
【００１６】
前面枠１には、遊技盤の前面を覆うカバーガラス５が開閉可能に取付けられ、下部には球の供給皿６、受皿７、打球発射装置のハンドル８等が設けられる。
【００１７】
図２はこの遊技機の背面図であり、１０は前面枠１の裏面に取付けられる基枠体（裏メカベース盤）、１１は球貯留タンク、１２は画像表示装置の表示制御装置、１３は球排出装置等を制御する球排出制御装置、１４は変動入賞装置、入賞球センサ、ＬＥＤ、ランプ等の各種電気機器の制御を行うと共に、表示制御装置１２、球排出制御装置１３等に制御信号を送る役物制御装置、１５は役物制御装置１４の基板ボックス、１６は打球発射制御装置である。
【００１８】
基板ボックス１５は、裏メカベース盤１０の表面（遊技機の裏面）に取付けられ、その役物制御装置１４と各種電気機器、各制御装置等とは配線コード群１７〜２０を介して電気的に接続される。
【００１９】
図３は基板ボックス１５の斜視図で、図４は分解斜視図であり、２５はベース部材、２６は上蓋部材、２７は役物制御装置１４の制御回路基板、２８は制御回路基板２７に実装された電子部品のうちのＲＯＭ、３０は制御回路基板２７の一側部に形成された配線コード群の接続領域３１に設けられたコネクタ部である。
【００２０】
遊技プログラムが記憶されたＲＯＭ２８は、制御回路基板２７のほぼ中央に配設される。
【００２１】
ベース部材２５は、透明の樹脂からなり、制御回路基板２７よりもいくらか大きい底部３３の周囲には、制御回路基板２７の配線コード群の接続領域３１の回りを除き、三方に周壁３５ａ〜３５ｃが形成される。
【００２２】
ベース部材２５の底部３３の所定の位置には、制御回路基板２７をネジ止めする固定部３４が形成され、その制御回路基板２７の配線コード群の接続領域３１の回りには段部が、その内側には接続領域３１の基板端部の受け（図示しない）が設けられる。
【００２３】
ベース部材２５の周壁３５ａ、３５ｂには、上端に上蓋部材２６を受ける支持壁部３６と、支持壁部３６と周壁３５ｃとの間に上端を内側に折り曲げた上蓋部材２６の保持部３７を設けた保護壁部３８とが形成される。周壁３５ｃには、その保護壁部３８の保持部３７に続き、上端を内側に折り曲げた上蓋部材２６の保持部４０が形成される。周壁３５ａ、３５ｂの支持壁部３７の内側には、配線コード群の接続領域３１側にて補助壁４１を取付けるための差し込み溝４２が形成される。
【００２４】
上蓋部材２６は、透明の樹脂からなり、制御回路基板２７の配線コード群の接続領域３１を除いて天板部４３が制御回路基板２７を覆うと共に、天板部４３の両側に後端（配線コード群の接続領域３１側の端部）からベース部材２５の周壁３５ａ、３５ｂの支持壁部３６とほぼ同じ長さの縁壁４４ａ、４４ｂが形成される。
【００２５】
上蓋部材２６の天板部４３の先端両側をベース部材２５の周壁３５ａ、３５ｂの保護壁部３８の保持部３７に差し込み、天板部４３および縁壁４４ａ、４４ｂの内面を周壁３５ａ、３５ｂの支持壁部３６に合わせ、周壁３５ｃに向かって上蓋部材２６をスライドさせると、所定の位置にて縁壁４４ａ、４４ｂの端部が周壁３５ａ、３５ｂの保護壁部３８の端部に突き当たると共に、天板部４３の先端および先端両側が周壁３５ｃ、保護壁部３８の保持部４０、３７にて保持され、上蓋部材２６がベース部材２５に対し閉じられる。この状態から上蓋部材２６を後方にスライドさせると、天板部４３の先端および先端両側がベース部材２５の周壁３５ｃ、保護壁部３８の保持部４０、３７から外れ、上蓋部材２６がベース部材２５に対し開放される。
【００２６】
ベース部材２５の周壁３５ａ〜３５ｃにより基板ボックス１５を開閉可能なスライド機構が、周壁３５ａ、３５ｂの保護壁部３８の端部により上蓋部材２６の閉位置を規制する閉位置規制手段が構成される。
【００２７】
そして、この基板ボックス１５の上蓋部材２６をベース部材２５に対して閉じた状態において、基板ボックス１５の所定の部位に、即ち上蓋部材２６の縁壁４４ａ、４４ｂおよびベース部材２５の周壁３５ａ、３５ｂの支持壁部３６のスライド方向に沿う境界部位に、それぞれ不正開放防止結合手段を構成する複数の重合結合部５０〜５３、５４〜５７が形成される。
【００２８】
重合結合部５０〜５３、５４〜５７は、それぞれ図５のように上蓋部材２６の縁壁４４ａ、４４ｂから突出させた連結部（上方連結部）６０の先端に上方結合部６１が、ベース部材２５の周壁３５ａ、３５ｂの支持壁部３６から突出させた連結部（下方連結部）６２の先端に下方結合部６３が形成される。
【００２９】
上方結合部６１には、中央に所定径の通し穴６４が、通し穴６４の上部にワンウェイネジ６５等（締結部材）の頭部を囲う埋め込み穴６６が設けられる。下方結合部６３には、上部中央に上方結合部６１の通し穴６４につながる通し穴６４とほぼ同径の所定深さの穴６７が形成される。
【００３０】
上蓋部材２６をベース部材２５に対して閉じた状態では、上方結合部６１の下面と下方結合部６３の上面が、上方連結部６０の下面と下方連結部６２の上面が当接される。上方連結部６０、下方連結部６２の断面積は、同じでも、どちらが大きくても良いが、それぞれニッパ等で切断可能な大きさに形成される。
【００３１】
重合結合部５０〜５３、５４〜５７は、それぞれ上蓋部材２６のスライド方向に１列に所定の間隔を空けて形成される。重合結合部５０〜５３、５４〜５７をそれぞれ所定の間隔を空けて形成することにより、ニッパ等での切断が容易になり、検査時の作業性が向上する。
【００３２】
そして、このベース部材２５の周壁３５ａ、３５ｂの支持壁部３６に、それぞれ１列に配列された重合結合部５０〜５３、５４〜５７の下方結合部６３に対して、支持壁部３６の前端側の部位（上蓋部材２６の開スライド方向の部位）にて、スライド阻止手段としてほぼ下方結合部６３と同じ突出高さの所定の大きさのストッパ７０が形成される。
【００３３】
また、上蓋部材２６の縁壁４４ａ、４４ｂに、それぞれ１列に配列された重合結合部５０〜５３、５４〜５７の上方結合部６１に対して、縁壁４４ａ、４４ｂの先端側の部位（上蓋部材２６の閉スライド方向の部位）にて、スライド阻止手段としてほぼ上方結合部６１と同じ突出高さの所定の大きさのストッパ７１が形成される。
【００３４】
上蓋部材２６の天板部４３の表面（または内面）には、機種名表示票８０、検査履歴書８１（後述する）が取付けられると共に、重合結合部５０〜５３、５４〜５７の近傍に、重合結合部５０〜５３、５４〜５７に対応して数字等の識別記号が表示される。
【００３５】
識別記号は図示しないが、上蓋部材２６の先端つまり閉スライド方向端に近い順に重合結合部５０〜５３、５４〜５７を組み合わせ、例えば重合結合部５０、５４に対応して１の識別記号が、重合結合部５１、５５に対応して２の識別記号が、重合結合部５２、５６に対応して３の識別記号が、重合結合部５３、５７に対応して４の識別記号が表示される。識別記号は、公的機関のＲＯＭ２８等の電子部品の検査時に関わる封印、開放の順位を定めるもので、印刷あるいは打刻（成型表示を含む）によって、あるいは識別記号を印刷したシールを貼り付けること等によって表示される。
【００３６】
なお、ベース部材２５には、裏メカベース盤１０に取付けるために、裏メカベース盤１０の取付部の掛止具に対するワンタッチ式の止め具が備えられる。
【００３７】
次に、基板ボックス１５の組立ておよび遊技機への組付けについて説明する。ベース部材２５の底部３３に制御回路基板２７を合わせ、固定部３４にネジ止めする。ベース部材２５の周壁３５ａ、３５ｂの支持壁部３６の差し込み溝４２に補助壁４１を取付ける。
【００３８】
上蓋部材２６の重合結合部５０〜５３、５４〜５７の上方結合部６１の通し穴６４には、それぞれ締め方向しか回せないワンウェイネジ６５を、ワンウェイネジ６５の先端が通し穴６４から下面に出ないように仮止めしておく。
【００３９】
この場合、ワンウェイネジ６５の深さを設定するために、ワンウェイネジ６５を締めるドライバ工具等に締め付け深さを調整するストッパ等の調整機構を設けて、ワンウェイネジ６５を仮止めするようにすると良い。ワンウェイネジ６５を一旦締めると元に戻せないが、このようにすれば、ワンウェイネジ６５を適度な深さに仮止めでき、仮止めを容易に行える。
【００４０】
この上蓋部材２６の天板部４３の先端両側をベース部材２５の周壁３５ａ、３５ｂの保護壁部３８の保持部３７に差し込み、天板部４３および縁壁４４ａ、４４ｂの内面を周壁３５ａ、３５ｂの支持壁部３６に合わせ、周壁３５ｃに向かって上蓋部材２６を所定の位置までスライドして、上蓋部材２６を閉じる。上蓋部材２６を閉じると、重合結合部５０〜５３、５４〜５７の上蓋部材２６側の各上方結合部６１がそれぞれベース部材２５側の該当する各下方結合部６３に重合する。
【００４１】
この状態にて、重合結合部５０〜５３、５４〜５７のうち、識別記号１の重合結合部５０、５４を、それぞれ上方結合部６１に仮止めしてあるワンウェイネジ６５を下方結合部６３まで確実に締めて、結合、固着する。
【００４２】
この重合結合部５０、５４を封印したワンウェイネジ６５は、頭部を上方結合部６１の埋め込み穴６６に囲われるため、例えばラジオペンチ等で無理やり緩む方向へと回されるといった不正な行為を予防することが可能となる。
【００４３】
この後、基板ボックス１５の表面つまり上蓋部材２６の天板部４３の表面には、透明なシール等に遊技機メーカー名、機種名、電圧、容量、注意書き等の各仕様を記載した機種名表示票８０、ならびに所定のシール等に製造業者記号を含んだ基板管理番号を記載すると共に公的機関が検査の際に基板ボックス１５を正規に開放したことを証明する記載を可能な欄つまり検査回数、検査年月日、検査印等の検査履歴の記載欄を設けた検査履歴書８１を取付ける。
【００４４】
機種名表示票８０は、上蓋部材２６の天板部４３の先端側に、検査履歴書８１は天板部４３の重合結合部５０〜５３、５４〜５７側に、貼着により取付ける。
【００４５】
この場合、機種名表示票８０は、樹脂等のプレートに遊技機メーカー名、各仕様を印刷あるいは打刻（成型表示を含む）したものを、上蓋部材２６の天板部４３に接着、あるいは天板部４３に嵌め込み溝等の取付部を形成して、取付けるようにして良い。また、遊技機メーカー名、各仕様を予め天板部４３に打刻するようにしても良い。
【００４６】
検査履歴書８１は、検査履歴の記載欄等を設けたシールを樹脂等のプレートに貼り付けると共に、上蓋部材２６の天板部４３にそのプレートを着脱できる嵌め込み溝等の取付部を形成して、取付けるようにして良い。また、検査時の開、封の手順等の説明をシールあるいはプレートに印刷あるいは打刻により表記するようにして良い。また、シールを用いる場合、剥がすと痕跡が残る特殊なシールを用いて良い。
【００４７】
また、検査履歴書８１の検査回数の欄には、上蓋部材２６の天板部４３に表示してある重合結合部５０〜５３、５４〜５７の識別記号１、２、３、４に対応して、第１、第２、第３、第４の表示の印刷等を行っておく。このように、重合結合部５０〜５３、５４〜５７の識別記号に検査履歴の欄を対応させれば、重合結合部５０〜５３、５４〜５７の封印順序が定まり、検査時の作業が容易になると共に、識別記号、検査履歴を見て、重合結合部の結合状態を的確に照合することができる。
【００４８】
なお、機種名表示票８０、検査履歴書８１は、上蓋部材２６の天板部４３の内面に、つまり機種名表示票８０、検査履歴書８１の表面を天板部４３の表面（外面）に向けて取付けるようにしても良い。この場合、埃等によって機種名表示票８０、検査履歴書８１が汚れたり、表示が見えにくくなるようなことはなく、また機種名表示票８０、検査履歴書８１が剥がれたり、傷付いたりするようなこともない。
【００４９】
このように組立てた基板ボックス１５は図２のように遊技機の裏メカベース盤１０の所定の取付位置に取付ける。
【００５０】
基板ボックス１５のベース部材２５を裏メカベース盤１０の所定の取付位置の表面に合わせ、ワンタッチ式の止め具を裏メカベース盤１０の所定位置の掛止具に掛合して、固定する。この場合、制御回路基板２７の配線コード群の接続領域３１が球排出制御装置１３側にくるように、取付位置を定めている。
【００５１】
この取付後、制御回路基板２７の配線コード群の接続領域３１のコネクタ部３０に、表示制御装置１２、球排出制御装置１３、各種電気機器からの配線コード群１７〜２０のコネクタ端をそれぞれ嵌め込み、接続する。
【００５２】
重合結合部５０〜５３、５４〜５７は、上蓋部材２６の天板部４３よりも奥方に位置するので、配線コード群１７〜２０を接続領域３１のコネクタ部３０に接続する場合あるいは外す場合等に、重合結合部５０〜５３、５４〜５７に配線が絡まりにくくなっている。
【００５３】
このように、組立て、組付けを行うのであり、公的機関による基板ボックス１５内の制御回路基板２７のＲＯＭ２８の検査を行うときは、遊技機の裏メカベース盤１０より基板ボックス１５を外して、あるいは裏メカベース盤１０に取付けたまま、検査を行う。
【００５４】
基板ボックス１５を外して検査を行う場合、また裏メカベース盤１０に取付けたまま検査を行う場合、重合結合部５０〜５３、５４〜５７のうち、ワンウェイネジ６５によって固着してある識別記号１の重合結合部５０、５４の上方連結部６０、下方連結部６２をニッパ等で切断して、その重合結合部５０、５４を取り除く。この場合、上方連結部６０、下方連結部６２の両方を確実に切断する。
【００５５】
この重合結合部５０、５４を除くと、上蓋部材２６を開方向にスライドすると、上蓋部材２６つまり基板ボックス１５が開く。
【００５６】
基板ボックス１５を開くと、制御回路基板２７のＲＯＭ２８を外して検査を行うことになる。
【００５７】
検査を終了すると、ＲＯＭ２８を制御回路基板２７に装着して、上蓋部材２６を前述のように閉じる。この際、切除していない識別記号２〜４の重合結合部５１〜５３、５５〜５７の各上方結合部６１がそれぞれ該当する各下方結合部６３に重合する。
【００５８】
この状態にて、識別記号２の重合結合部５１、５５の上方結合部６１に仮止めしてあるワンウェイネジ６５を下方結合部６３まで締めて、その重合結合部５１、５５を結合、固着する。
【００５９】
この後、上蓋部材２６の天板部４３検査履歴書８１の検査回数の第１の記載欄に、検査担当者が検査年月日の記入、検査印等の捺印を行って、検査が完了、また基板ボックス１５を裏メカベース盤１０より外して行った場合は、裏メカベース盤１０に取付けて、制御回路基板２７の接続領域３３のコネクタ部３２に配線コード群１７〜２０を接続して完了となる。
【００６０】
一方、不正行為として、基板ボックス１５を不正に開けて、制御回路基板２７のＲＯＭ２８を不正なＲＯＭに交換、あるいはＲＯＭ２８のデータを書き換えて、大当たりを頻繁に発生させる等の不正行為がある。
【００６１】
この不正行為には、正規に固着してある重合結合部の上方連結部６０と下方連結部６２とを切断して、その重合結合部を取り除いて、基板ボックス１５を開けることが想定されるが、これは遊技店における遊技機の保守点検時あるいは営業中に遊技機の球詰まり等を直す際等に、基板ボックス１５の状態を確認することで発見が可能となる。
【００６２】
基板ボックス１５を遊技機の裏面に取付けるため、遊技機の裏側から重合結合部５０〜５３、５４〜５７を確認でき、また基板ボックス１５の上蓋部材２６の天板部４３に重合結合部５０〜５３、５４〜５７の識別記号を表示すると共に、天板部４３に取付けてある検査履歴書８１にその識別記号に対応する検査履歴の欄を設けるため、その識別記号、検査履歴を見て、正規に固着してある重合結合部はどれか、固着してある重合結合部が正しいものかどうか等の照合を簡単に行え、該当する重合結合部、上方連結部６０、下方連結部６２の状態の確認をしやすい。
【００６３】
そのため、遊技機の前面枠１を開くと、正規の重合結合部が切除されていれば、これをすぐに見付けることができる。
【００６４】
また、不正を発見しにくくするために、上方連結部６０のみを切断して、重合結合部を取り除かずに、基板ボックス１５を開けようとしたり、あるいは切断部分を隠すように、上方連結部６０は切断せずに下側の下方連結部６２のみを切断して、基板ボックス１５を開けようとすることが考えられるが、このような方法では、基板ボックス１５を開けることはできない。
【００６５】
即ち、ベース部材２５に対し上蓋部材２６をスライドすることにより、基板ボックス１５を開閉可能とすると共に、ベース部材２５に、そのスライド方向に沿ってそれぞれ１列に配列した重合結合部５０〜５３、５４〜５７の下方結合部６３に対して開スライド方向の位置にて、ストッパ７０を設けたので、例えば固着してある重合結合部の下方連結部６２のみを切断した場合、図６、図７に示すようにその重合結合部の下方結合部６３は上方結合部６１に同じく上蓋部材２６に固着したままになり、そのため上蓋部材２６を開方向にスライドさせると、上蓋部材２６と一体の下方結合部６３がその開スライド方向にあるストッパ７０に当たり、上蓋部材２６のスライドを阻止する。これにより、基板ボックス１５の不正な開放を防止できる。ただし、図６、図７は説明用に１つの重合結合部のみを示してある。
【００６６】
また、上蓋部材２６に、スライド方向に沿って１列の重合結合部５０〜５３、５４〜５７の上方結合部６１に対して閉スライド方向の位置にて、ストッパ７１を設けたので、固着してある重合結合部の上方連結部６０のみを切断した場合、その重合結合部の上方結合部６１は下方結合部６３に同じくベース部材２５に固着したままになり、そのため上蓋部材２６を開方向にスライドさせると、上蓋部材２６のストッパ７１がベース部材２５と一体の上方結合部６１に当たり、上蓋部材２６のスライドを阻止する。これにより、基板ボックス１５の不正な開放を防止できる。
【００６７】
この一方、スライド方向に沿ってそれぞれ重合結合部５０〜５３、５４〜５７を１列に配列すると共に、その重合結合部５０〜５３、５４〜５７の封印順位を上蓋部材２６の閉スライド方向端に近い順に定めて、メーカー出荷時や検査時に封印（固着）することによって、例えば図８、図９のように固着してある重合結合部５０、５４の下方連結部６２のみを切断した場合、上蓋部材２６を開方向にスライドさせると、上蓋部材２６と一体の重合結合部５０、５４の下方結合部６３がその隣の重合結合部５１、５５の下方結合部６３に当たる。つまり、封印順位の上位の重合結合部に対して次位の重合結合部がスライド阻止手段を兼ね、上蓋部材２６のスライドを阻止する。これによっても、基板ボックス１５の不正な開放を防止できる。
【００６８】
このように、重合結合部を切除しての不正行為があった場合、基板ボックス１５を取り外さずに、遊技機の保守点検時あるいは営業中に遊技機の球詰まり等を直す際等に、容易にかつ早期に発見できるのであり、また重合結合部の上方連結部６０あるいは下方連結部６２の一方のみを切断した場合、基板ボックス１５を開けることができないのである。このため、不正行為を隠蔽しにくく、不正抑止を図れる。
【００６９】
基板ボックス１５の複数の箇所に重合結合部５０〜５３、５４〜５７を形成して、複数の重合結合部を封印するので、不正行為者にとっては基板ボックス１５を開けにくくなり、封印効果が高まることに加え、不正を発見しやすくなる。特に、遊技店の係員にとっては、重合結合部５０〜５３、５４〜５７の一方を確認すれば良いので、確認ならびに不正の発見が容易になる。
【００７０】
したがって、基板ボックス１５を開け、制御回路基板２７のＲＯＭ２８を不正に交換する等の不正行為を防止でき、このような不正行為による遊技店の損害を最小限に抑えることができる。
【００７１】
なお、この実施の形態では、役物制御装置の基板ボックスに適用した例を示したが、遊技プログラムを記憶したＲＯＭと同じような重要部品を持つものであれば、これに限定することなく適用できる。また、基板ボックスは、一つの役物制御装置だけでなく、球排出制御装置あるいはその他の制御装置を収容するものであって良い。
【００７２】
図１０、図１１は別の実施の形態を示すもので、重合結合部５０〜５３、５４〜５７の周囲を囲う防護壁９０を設けたものである。ただし、図１０、図１１および図１２はそれぞれ上蓋部材２６のスライド方向に沿って１列に配列される重合結合部５０〜５３、５４〜５７のうち、それぞれ１つの重合結合部のみを示してある。
【００７３】
これら重合結合部５０〜５３、５４〜５７の配列方向にて、配列方向の両側から重合結合部５０〜５３、５４〜５７の上方結合部６１の周囲側方を囲う上方防護部９１が上蓋部材２６の縁壁４４ａ、４４ｂに、同じく配列方向の両側から重合結合部５０〜５３、５４〜５７の下方結合部６３の周囲側方を囲う下方防護部９２がベース部材２５の周壁３５ａ、３５ｂの支持壁部３６に、それぞれ形成される。
【００７４】
このようにすれば、例えば固着してある重合結合部の下方連結部６２のみを切断された場合、上蓋部材２６を開方向にスライドさせても、図１２のように上蓋部材２６と一体の重合結合部の下方結合部６３がベース部材２５側の下方防護部９２に当たり、上蓋部材２６のスライドが阻止される。また、重合結合部の上方連結部６０のみを切断された場合、上蓋部材２６を開方向にスライドさせても、ベース部材２５と一体の重合結合部の上方結合部６１が上蓋部材２６側の上方防護部９１に当たり、上蓋部材２６のスライドが阻止される。これによって、基板ボックス１５の不正な開放を防止できる。
【００７５】
また、基板ボックス１５の組立て時、組付け時、検査時等に誤って重合結合部側をぶつけたりすることがあっても、防護壁９０によって保護され、重合結合部が破損するようなことは防止される。また、基板ボックス１５を裏メカベース盤１０に取付けあるいは取り外す際、制御回路基板２７の接続領域３１に配線コード群を接続あるいは外す際等に、重合結合部に配線が絡むことが確実に防止される。
【００７６】
なお、防護壁９０は、それぞれの重合結合部５０〜５３、５４〜５７を１つずつ隔成するように設けても良い。また、各重合結合部５０〜５３、５４〜５７に１つずつ設けても良い。また、重合結合部５０〜５３、５４〜５７のうち、それぞれ所定の重合結合部のみに設けても良い。
【００７７】
また、各実施の形態において、重合結合部５０〜５３、５４〜５７の締結部材として、ワンウェイネジ６５を用いたが、リベットを用いても良く、また重合結合部の構造を含め、切断あるいは切除しなければ、基板ボックス１５を開けられないものであれば、何でも良い。例えば、その締結部材の一例として、図１３のように先端側のネジ部１１１を形成すると共に、そのネジ部１１１と頭部１１２との間を小径に形成したネジ１１０を、重合結合部５０〜５３、５４〜５７の上方結合部１１３、下方結合部１１４の穴１１５にねじ込むようにしたものでも良い。この場合、先端側のネジ部１１１が下方結合部１１４の穴１１５から抜けるまでねじ込めば、ネジ１１０が戻らなくなり、固定状態になる。
【００７８】
また、遊技機としてパチンコ遊技機に適用した例を示したが、その他の遊技機、例えばパチスロ、アレンジボール等の遊技機にも適用できる。
【００７９】
また、特許請求の範囲に記載した以外の本発明の観点の代表的なものとして、次のものがあげられる。
【００８０】
（１）遊技機に設けられる電気的作動装置の制御を行うためにＲＯＭ等の電子部品を実装した制御回路基板を収容する遊技機の基板ボックスにおいて、より基板ボックスを開閉可能なスライド機構を設け、前記スライド機構は前記上蓋部材の閉位置を規制する閉位置規制手段を備え、前記閉位置規制手段に規制された状態において、前記基板ボックスの前記スライド方向に沿う所定の部位に、前記上蓋部材とベース部材とから各々突出させた連結部を介して重合する重合結合部を列状にそれぞれ所定の間隔を空けて複数形成して、このうちのいずれか一つの重合結合部に対し締結部材により固着せしめて開放不能に封印する不正開放防止結合手段を設けると共に、前記締結部材により固着された重合結合部の上蓋部材側の連結部もしくはベース部材側の連結部の一方のみを切断した状態で基板ボックスを不正に開封する不正開封行為に対し、上蓋部材を所定方向にスライドさせた際に当該重合結合部に当接して以降の上蓋部材のスライドを阻止するスライド阻止手段を設けた、ことを特徴とする遊技機の基板ボックス。
【００８１】
（１）によれば、制御回路基板を収容する基板ボックスが上蓋部材のスライドによって開閉可能に形成されると共に、上蓋部材の閉位置を規制する閉位置規制手段が備えられ、閉位置規制手段に規制された状態において、基板ボックスのスライド方向に沿って所定の部位に、上蓋部材とベース部材とから各々突出させた連結部を介して重合する重合結合部をそれぞれ所定の間隔を空けて複数形成して、このうちの一つを締結部材により固着することで、基板ボックスが開放不能に封印されると共に、締結部材により固着された重合結合部の上蓋部材側の連結部もしくはベース部材側の連結部の一方のみを切断した状態で基板ボックスを不正に開封する不正開封行為に対し、上蓋部材を所定方向にスライドさせた際に当該重合結合部にスライド阻止手段が当接して以降の上蓋部材のスライドが阻止される。
【００８２】
（２）前記スライド阻止手段は、前記重合結合部に対する前記上蓋部材の開スライド方向の部位にてベース部材側に設けたことを特徴とする請求項１に記載の遊技機の基板ボックス。
【００８３】
これにより、（２）によれば、重合結合部に対する上蓋部材の開スライド方向の部位にてスライド阻止手段を設けるので、重合結合部のベース部材側の連結部を切断しての基板ボックスの不正な開放を防止できる。
【００８４】
（３）前記スライド阻止手段は、前記重合結合部に対する前記上蓋部材の閉スライド方向の部位にて上蓋部材側に設けたことを特徴とする請求項１または２に記載の遊技機の基板ボックス。
【００８５】
これにより、（３）によれば、重合結合部に対する上蓋部材の閉スライド方向の部位にてスライド阻止手段を設けるので、重合結合部の上蓋部材側の連結部を切断しての基板ボックスの不正な開放を防止できる。
【００８６】
（４）前記複数の重合結合部の封印順位を前記上蓋部材の閉スライド方向端に近い順に設定して、上位の重合結合部に対して次位の重合結合部がスライド阻止手段を兼ねるようになっていることを特徴とする請求項１に記載の遊技機の基板ボックス。
【００８７】
これにより、（４）によれば、複数の重合結合部の封印順位を上蓋部材の閉スライド方向端に近い順に設定することにより、重合結合部のベース部材側の連結部が切断された際に、次位の重合結合部が上蓋部材のスライドを阻止して、基板ボックスの不正な開放を防止できる。
【００８８】
（５）前記上蓋部材もしくはベース部材の少なくとも一方に前記重合結合部の周囲を囲う防護壁を設け、該防護壁はスライド阻止手段を兼ねることを特徴とする請求項１に記載の遊技機の基板ボックス。
【００８９】
これにより、（５）によれば、基板ボックスの組立て時、組付け時、検査時等に重合結合部を保護して、重合結合部の破損を防止でき、また各作業時に重合結合部に配線が絡むことを防止できると共に、重合結合部の上蓋部材側の連結部もしくはベース部材側の連結部の一方のみを切断しての基板ボックスの不正な開放を防止できる。
【産業上の利用可能性】
【００９０】
本発明は、パチンコ遊技機、パチスロ、アレンジボール等の遊技機に適用することができる。
【図面の簡単な説明】
【００９１】
【図１】遊技機の本体を開いた斜視図である。
【図２】遊技機の背面図である。
【図３】基板ボックスの斜視図である。
【図４】基板ボックスの分解斜視図である。
【図５】重合結合部分の断面図である。
【図６】作用を示す側面図である。
【図７】作用を示す側面図である。
【図８】作用を示す側面図である。
【図９】作用を示す側面図である。
【図１０】別の形態を示す基板ボックスの斜視図である。
【図１１】その側面図である。
【図１２】作用を示す側面図である。
【図１３】締結部材の例を示す断面図である。
【符号の説明】
【００９２】
１  前面枠
２  外枠
３ａ、３ｂ  ヒンジ
１０  基枠体（裏メカベース盤）
１２  表示制御装置
１３  球排出制御装置
１４  役物制御装置
１５  基板ボックス
１６  打球発射制御装置
１７〜２０  配線コード群
２５  ベース部材
２６  上蓋部材
２７  制御回路基板
２８  ＲＯＭ
３０  コネクタ部
３１  接続領域
３３  底部
３５ａ〜３５ｃ  周壁
３６  支持壁部
３７  保持部
３８  保護壁部
４０  保持部
４１  補助壁
４３  天板部
４４ａ、４４ｂ  縁壁
５０〜５３、５４〜５７  重合結合部
６０  上方連結部
６１  上方結合部
６２  下方連結部
６３  下方結合部
６４  通し穴
６５  ワンウェイネジ
６６  埋め込み穴
６７  穴
７０、７１  ストッパ
８０  機種名表示票
８１  検査履歴書
９０  防護壁
９１  上方防護部
９２  下方防護部
１１０  ネジ
【図１】
0004436373.tif 000002
【図２】
0004436373.tif 000003
【図３】
0004436373.tif 000004
【図４】
0004436373.tif 000005
【図５】
0004436373.tif 000006
【図６】
0004436373.tif 000007
【図７】
0004436373.tif 000008
【図８】
0004436373.tif 000009
【図９】
0004436373.tif 000010
【図１０】
0004436373.tif 000011
【図１１】
0004436373.tif 000012
【図１２】
0004436373.tif 000013
【図１３】
0004436373.tif 000014